(57)【要約】      （修正有）【課題】より就眠に好適な就眠用加温具を提供する。【解決手段】非熱伝導性の材料から成る袋体１０１を、通常の枕と同じもので満たし、前記袋体１０１は、電源１０５により加熱される加温部１０２と一体に形成されており、前記袋体１０１と、前記加温部１０２に電源を供給するコネクタ１０７、及び／又は、電源を供給する電源コードとの間の位置関係を固定し、前記袋体１０１と前記加温部１０２との間がずれないように構成した。【選択図】図１
2015051170.tif 000002
【特許請求の範囲】
【請求項１】
非熱伝導性の材料から成り、通常の枕と同じように構成し得る袋体が、
電源により加熱される加熱体と一体に形成されており、
前記袋体と、前記加熱体に電源を供給するコネクタ、及び／又は、電源を供給する電源コードとの間の位置関係が固定し、前記袋体と前記加熱体との間がずれないように構成した
ことを特徴とする枕。
【請求項２】
前記加熱体は、
その間に頭部が位置するように、複数に分散されて配された
ことを特徴とする請求項１に記載の枕。
【請求項３】
電源により加熱される加熱体と、
前記加熱体に電源を供給するコネクタ、及び／又は、電源を供給する電源コードとの間の位置関係が固定し、枕を構成する袋体と前記加熱体との間がずれないように構成することが可能である
ことを特徴とする就眠用加温具。
【発明の詳細な説明】
【技術分野】
【０００１】
本発明は、枕及び就眠用加温具に関し、特に、より快適な睡眠を図らんとする枕及び就眠用加温具に関する。
【背景技術】
【０００２】
快眠の条件として、寝室内の音、光、温度、湿度等が適切なものであることが一般的に知られている。例えば、温度、湿度に関しては、温度は１８〜２２℃が好ましく、湿度は５０％程度が好ましいとされており、冬季や夏季においては、外気温との温度差を８℃前後に設定することが好ましいと言われている。
【０００３】
また、快眠の条件として、就眠中における人体と寝具との間の空間の温度及び湿度（以下、「寝床内気候」と言う）は極めて重要で、一般に、温度は３１〜３４℃、湿度は４０〜６０％の範囲が快適な条件とされている。そして、このような寝床内気候を満たすために、冬季においては、保温性の高い寝具や、電気毛布等を用いたりしているのが現状である。
【０００４】
本願発明者は、快眠に好適な条件を実現すべく、特許文献１に記載の就眠用加温具について特許出願を行っている。
【先行技術文献】
【特許文献】
【０００５】
【特許文献１】特開２００６−１２２１０２号公報
【発明の概要】
【発明が解決しようとする課題】
【０００６】
特許文献１に記載の技術は、快眠に好適な条件をユーザに提供するものであるが、依然として改良の余地が残されていた。本発明は係る現状に適応するためになされたものであって、より快眠に好適な枕及び就眠用加温具を提供せんとするものである。
【課題を解決するための手段】
【０００７】
上記現状に対応すべく本願発明に係る枕は、非熱伝導性の材料から成り、通常の枕と同じように構成し得る袋体が、電源により加熱される加熱体と一体に形成されており、前記袋体と、前記加熱体に電源を供給するコネクタ、及び／又は、電源を供給する電源コードとの間の位置関係が固定し、前記袋体と前記加熱体との間がずれないように構成したことを特徴とする。
【０００８】
この構成によると、袋体と前記加熱体との間がずれないため、ユーザの寝返りにもほとんど関係がなく、快適な就眠環境が実現される。
【０００９】
前記加熱体は、その間に頭部が位置するように、複数に分散されて配された構成とすれば、頭部を温めずに涼しく保つことができ、より快適な就眠環境に好適である。
【００１０】
本願発明に係る就眠用加温具は、電源により加熱される加熱体と、前記加熱体に電源を供給するコネクタ、及び／又は、電源を供給する電源コードとの間の位置関係が固定し、枕を構成する袋体と前記加熱体との間がずれないように構成することが可能であることを特徴としている。
【００１１】
枕を構成する袋体と前記加熱体との間がずれないように構成するには、例えば、就眠用加温具の裏面や電源コードの周囲をシール状として、使用時に貼付する例などが考えられる。
【発明の効果】
【００１２】
本発明に係る枕及び就眠用加温具によれば、より快眠に好適な枕及び就眠用加温具が提供されるという効果を奏する。
【図面の簡単な説明】
【００１３】
【図１】本発明の第一の実施の形態における、枕の外観の一例について説明するための図である。
【図２】本発明の第二の実施の形態における、加温部１０２の外観の一例について説明するための図である。
【発明を実施するための形態】
【００１４】
以下、本発明の実施の形態について、図面を参照しながら説明する。
（実施の形態１）
図１は、本発明の第一の実施の形態における、枕の外観の一例について説明するための図である。
【００１５】
同図１に示す如く、本実施の形態の枕は、非熱伝導性の材料（例えばナイロン）から構成され、例えば、その平面視左側端開口部１１０が、例えばチャック１０３により開閉自在に構成された袋部１０１に、電源制御部１０４により制御された電流により、その温度が制御される加温部１０２が、袋部１０１との位置関係が固定されるように配されて、構成される。
【００１６】
袋部１０１の内容物は、通常の枕と同様に考えることができ、そば殻、羽毛、その他、通常の枕と同様に機能すれば良い。電源制御部１０４への電源供給は、例えば、通常の電気毛布と同様にＡＣ１００Ｖの商用電源１０５で行うこともできるが、これに限定されることはなく、加温部１０２を適切な温度とすることができれば、例えばコンピュータを介したＵＳＢ（ユニバーサル・シリアル・バス）からの電源供給、電池、特に充電可能な二次電池を用いた電源供給などを考えることもできる。
【００１７】
電源制御部１０４は、一般に用いられる低温火傷防止の機能を付加する構成とすることもできるけれども、コンピュータ（不図示）を経由した電源供給を行うような場合は、例えば低温火傷防止の機能はコンピュータで実行させるようにしても良いし、電流値自体をコンピュータ制御とすれば、電源制御部１０４自体を備えない実施形態も考えられるところである。
【００１８】
さて、前記したように、本実施の形態の枕では、睡眠時に、加温部１０２と、袋部１０１との位置が相対的に固定され、加温部１０２の位置がずれることがない。この構成は、一見簡単に見えるが、実用的効果は大きなものである。なぜなら、この構成により、寝返りの際にも、快適な寝床内気候を保つことができるからである他、ユーザが使用法に迷うといった事態も回避できるからである。
【００１９】
即ち、袋部１０１と加温部１０２との間の位置関係が固定されて、ずれることがないため、ユーザが寝返りした場合でも、快眠に適した寝床内気候が保持される。なお、電源コード１０６は、袋部１０１の、どの部分から外部に通ずるようにしてもよい。
【００２０】
また、本実施の形態の枕では、図１に示す如く、電源１００Ｖの商用電源１０５を用い、加温部１０２において、電源コード１０６と接続されるコネクタ１０７が設けられる場合、コネクタ１０７は、袋部１０１の端部には設けないことが好ましい。例えば、袋部１０１を矢印Ａ方向に９０度程度に回転させ、テレビなどの視聴を行う場合、コネクタ１０７のような難いものが、ＴＶ視聴時にユーザに抵抗感を与える可能性もあるからである。
【００２１】
（実施の形態２）
次に、本願発明の第二の実施の形態について説明する。図２は、本発明の第二の実施の形態における、加温部１０２の外観の一例について説明するための図である。
【００２２】
同図は、袋部１０１をチャック１０３で閉じた状態の正面図である。同図に示されるように、本実施の形態では、加温部１０２を二つに分け、例えば２本の加熱線１０８で二つの加温部を、各々コネクタ１０７に接続する。
【００２３】
そして、就眠時には、分割された加温部１０２の間にユーザの頭部が位置するように袋部１０１を設置する。
【００２４】
この構成によれば、頭部を温めずに、やさしく肩部分を暖めることができ、結果として、より好ましい睡眠が実現される。
【００２５】
（変形例）
本願発明の範囲は、上記した実施例に限定されることはなく、例えば、以下のような変形例も考えることができる。即ち、上記実施の形態では、最初から袋部１０１に加温部１０２を固着する構成としたが、加温部１０２、コネクタ１０７等と袋部１０１とを分離して加温部１０２を含む部分のみ就眠用加温具として販売し、使用時に、ユーザが袋部１０１に貼付するような構成も可能である。
【００２６】
また、袋体１０１の内容物を入れない状態で販売するような形態も本願発明の範囲に含まれる。さらに袋体１０１が必ずしも袋状でなく、弾性体を用いるような形態も本願発明の範囲に含まれる。
【産業上の利用可能性】
【００２７】
本発明は、例えば、枕、就眠用加温具などに適用することができる。
【符号の説明】
【００２８】
１０１              袋部
１０２              加温部
１０３              チャック
１０４              電源制御部
１０５              電源
１０６              電源コード
１０７              コネクタ
１０８              加熱線
【図１】
2015051170.tif 000003
【図２】
2015051170.tif 000004